(57)【特許請求の範囲】
【請求項１】
洋風便器本体の上面に取り付けられ、起立状態と倒伏状態との間を回動可能な便蓋及び便座と、
該便蓋及び／又は該便座を回動させる駆動装置と、
該洋風便器本体が据え付けられたトイレルームの出入口付近に取り付けられ、該出入口の近傍の使用者を検知する第１検知装置と、
該洋風便器本体に取り付けられ、該洋風便器本体の近傍の使用者を検知する第２検知装置と、
該第１検知装置及び該第２検知装置の出力に基づいて該駆動装置を制御する制御装置とを備えた便座装置において、
前記制御装置は、前記第２検知装置が前記使用者を検知していた状態から非検知の状態に変化した後に前記第１検知装置が前記使用者を初めに検知した場合を除き、該第１検知装置が該使用者を検知すると、前記便蓋のみ又は該便蓋と前記便座とが起立状態になるように前記駆動装置を制御することを特徴とする便座装置。
【請求項２】
前記制御装置は、前記第２検知装置が前記使用者を検知していた状態から非検知の状態に変化した時から特定時間が経過した後、前記第１検知装置が前記使用者を検知すると、前記便蓋のみ又は該便蓋と前記便座とが起立状態になるように前記駆動装置を制御する請求項１記載の便座装置。
【請求項３】
洋風便器本体の上面に取り付けられ、起立状態と倒伏状態との間を回動可能な便蓋及び便座と、
該便蓋及び／又は該便座を回動させる駆動装置と、
該洋風便器本体が据え付けられたトイレルームの出入口付近に取り付けられ、該出入口の近傍の使用者を検知する第１検知装置と、
該洋風便器本体に取り付けられ、該洋風便器本体の近傍の使用者を検知する第２検知装置と、
該第１検知装置及び該第２検知装置の出力に基づいて該駆動装置を制御する制御装置とを備えた便座装置において、
前記トイレルームの壁面に取り付けられ、操作スイッチを有し、該操作スイッチが操作されると前記便蓋を起立状態から倒伏状態に回動するように前記制御装置に信号を出力するリモコンを備え、
該制御装置は、該操作スイッチが操作され、該便蓋が倒伏状態に回動した後に前記第１検知装置が前記使用者を初めに検知した場合を除き、該第１検知装置が該使用者を検知すると、該便蓋のみ又は該便蓋と該便座とが起立状態になるように前記駆動装置を制御することを特徴とする便座装置。
【請求項４】
前記制御装置は、前記操作スイッチが操作され、前記便蓋が倒伏状態に回動した時から特定時間が経過した後、前記第１検知装置が前記使用者を検知すると、該便蓋のみ又は該便蓋と該便座とが起立状態になるように前記駆動装置を制御する請求項３記載の便座装置。
【発明の詳細な説明】
【技術分野】
【０００１】
本発明は便座装置に関する。
【背景技術】
【０００２】
特許文献１に従来の便座装置が開示されている。この便座装置は、洋風便器本体の上面に取り付けられ、起立状態と倒伏状態との間を回動可能な便蓋及び便座を備えている。便蓋はモーター等からなる駆動装置により回動可能にされている。トイレルームの出入口付近には、出入口の近傍の使用者を検知する検知装置が取り付けられている。また、便座には、使用者が着座したことを検知する着座検知装置が内蔵されている。この便座装置は、検知装置及び着座検知装置の出力に基づいて駆動装置を制御する制御装置を備えている。この制御装置は、使用者の手動操作により便蓋が倒伏状態に回動された後、特定時間（以下、「受信禁止時間」という。）が経過するまでは検知装置からの出力を受信しない。
【０００３】
このような構成である従来の便座装置では、使用者の手動操作により便蓋が倒伏状態に回動された後、受信禁止時間が経過するまで、便蓋は起立状態に回動されない。つまり、この間に使用者がトイレルームを退室すれば、検知装置がこの使用者を検知しても便蓋は起立状態に回動されない。
【０００４】
【特許文献１】特開２００５−１４３６２８号公報
【発明の開示】
【発明が解決しようとする課題】
【０００５】
しかし、上記従来の便座装置では、使用者が手動操作により便蓋を倒伏状態に回動した後、使用者がトイレルーム内で手洗いをしたり、身だしなみを整えたりすると、使用者がトイレルームを退室するまでの間に、受信禁止時間が経過してしまうおそれがある。受信禁止時間が経過した後は、検知装置からの出力を制御装置が受信してしまうため、使用者がトイレルームを退室するにもかかわらず、便蓋は起立状態に回動されてしまう。
【０００６】
また、使用者が便蓋を倒伏状態に回動した後に手洗い等を行なうことを想定して、受信禁止時間を長い時間に設定することが考えられる。この場合、使用者がトイレルームから退室した後に別の使用者がトイレルームに入室した際、未だ、受信禁止時間を経過していない状況が起こりうる。受信禁止時間が経過していないと、トイレルームに入室した使用者を検知した検知装置からの出力を制御装置が受信しないため、使用者がトイレルームに入室したにもかかわらず、便蓋は起立状態に回動されない。
【０００７】
本発明は、上記従来の実情に鑑みてなされたものであって、使い勝手がより良い便座装置を提供することを解決すべき課題としている。
【課題を解決するための手段】
【０００８】
第１発明の便座装置は、洋風便器本体の上面に取り付けられ、起立状態と倒伏状態との間を回動可能な便蓋及び便座と、
該便蓋及び／又は該便座を回動させる駆動装置と、
該洋風便器本体が据え付けられたトイレルームの出入口付近に取り付けられ、該出入口の近傍の使用者を検知する第１検知装置と、
該洋風便器本体に取り付けられ、該洋風便器本体の近傍の使用者を検知する第２検知装置と、
該第１検知装置及び該第２検知装置の出力に基づいて該駆動装置を制御する制御装置とを備えた便座装置において、
前記制御装置は、前記第２検知装置が前記使用者を検知していた状態から非検知の状態に変化した後に前記第１検知装置が前記使用者を初めに検知した場合を除き、該第１検知装置が該使用者を検知すると、前記便蓋のみ又は該便蓋と前記便座とが起立状態になるように前記駆動装置を制御することを特徴とする。
【０００９】
このような構成である第１発明の便座装置では、使用者が洋風便器本体の使用を終えて洋風便器本体から離れると、第２検知装置は使用者を検知していた状態から非検知の状態に変化する。この後にこの使用者がトイレルームの出入口から退室すると、第１検知装置はこの使用者を検知することになる。つまり、第２検知装置が使用者を検知していた状態から非検知の状態に変化した後に第１検知装置が初めに検知するのは、洋風便器本体の使用を終えてトイレルームを退室する使用者である。このため、第２検知装置が使用者を検知していた状態から非検知の状態に変化した後に第１検知装置が使用者を初めに検知した場合、制御装置は便蓋等を起立状態に回動させない。また、その後に第１検知装置が使用者を検知した場合、トイレルームに入室した使用者を検知したことになるため、制御装置は便蓋等を起立状態に回動させる。このように、第１検知装置及び第２検知装置の検知により、使用者のトイレルームの入退室を適確に判断し、使用者がトイレルームに入室した際には、便蓋等を確実に起立状態に回動させることができる。
【００１０】
したがって、第１発明の便座装置は、使い勝手がより良くなる。
【００１１】
第１発明の便座装置において、制御装置は、第２検知装置が使用者を検知していた状態から非検知の状態に変化した時から特定時間が経過した後、第１検知装置が使用者を検知すると、便蓋のみ又は便蓋と便座とが起立状態になるように駆動装置を制御することが好ましい。
【００１２】
この場合、特定時間が経過する前に第１検知装置が使用者を検知すると、洋風便器本体の使用を終えてトイレルームを退室する使用者が検知されたものと判断し、制御装置は便蓋等を起立状態に回動させない。一方、特定時間が経過した後に第１検知装置が使用者を検知すると、第１検知装置がトイレルームを退室する使用者を何らかの原因で検知することができず、その後にトイレルームに入室した使用者を検知したものと判断し、制御装置は便蓋等を起立状態に回動させる。このため、トイレルームを退室する使用者を第１検知装置が検知できなかった場合でも、その後に使用者がトイレルームに入室した際には、便蓋等を確実に起立状態に回動させることができる。
【００１３】
この特定時間は、使用者が洋風便器本体の使用を終えた後にトイレルーム内で手洗いをしたり、身だしなみを整えたりする時間を考慮して、確実に使用者がトイレルームを退室することのできる時間に設定され得る。
【００１４】
第２発明の便座装置は、洋風便器本体の上面に取り付けられ、起立状態と倒伏状態との間を回動可能な便蓋及び便座と、
該便蓋及び／又は該便座を回動させる駆動装置と、
該洋風便器本体が据え付けられたトイレルームの出入口付近に取り付けられ、該出入口の近傍の使用者を検知する第１検知装置と、
該洋風便器本体に取り付けられ、該洋風便器本体の近傍の使用者を検知する第２検知装置と、
該第１検知装置及び該第２検知装置の出力に基づいて該駆動装置を制御する制御装置とを備えた便座装置において、
前記トイレルームの壁面に取り付けられ、操作スイッチを有し、該操作スイッチが操作されると前記便蓋を起立状態から倒伏状態に回動するように前記制御装置に信号を出力するリモコンを備え、
該制御装置は、該操作スイッチが操作され、該便蓋が倒伏状態に回動した後に前記第１検知装置が前記使用者を初めに検知した場合を除き、該第１検知装置が該使用者を検知すると、該便蓋のみ又は該便蓋と該便座とが起立状態になるように前記駆動装置を制御することを特徴とする。
【００１５】
このような構成である第２発明の便座装置では、使用者が操作スイッチを操作して便蓋を倒伏状態に回動させた後は、この使用者は洋風便器本体の使用を終えており、トイレルームを退室するものと考えられる。つまり、使用者が操作スイッチを操作して便蓋を倒伏状態に回動させた後に第１検知装置が初めに検知するのは、洋風便器本体の使用を終えてトイレルームを退室する使用者である。このため、使用者が操作スイッチを操作して便蓋を倒伏状態に回動させた後に第１検知装置が使用者を初めに検知した場合、制御装置は便蓋等を起立状態に回動させない。また、その後に第１検知装置が使用者を検知した場合、トイレルームに入室した使用者を検知したことになるため、制御装置は便蓋等を起立状態に回動させる。このように、リモコンの操作スイッチの操作及び第１検知装置の検知により、使用者のトイレルームの入退室を適確に判断し、使用者がトイレルームに入室した際には、便蓋等を確実に起立状態に回動させることができる。
【００１６】
したがって、第２発明の便座装置は、使い勝手がより良くなる。
【００１７】
第２発明の便座装置において、制御装置は、操作スイッチが操作され、便蓋が倒伏状態に回動した時から特定時間が経過した後、第１検知装置が使用者を検知すると、便蓋のみ又は便蓋と便座とが起立状態になるように駆動装置を制御することが好ましい。
【００１８】
この場合、特定時間が経過する前に第１検知装置が使用者を検知すると、洋風便器本体の使用を終えてトイレルームを退室する使用者が検知されたものと判断し、制御装置は便蓋等を起立状態に回動させない。一方、特定時間が経過した後に第１検知装置が使用者を検知すると、第１検知装置がトイレルームを退室する使用者を何らかの原因で検知することができず、その後にトイレルームに入室した使用者を検知したものと判断し、制御装置は便蓋等を起立状態に回動させる。このため、トイレルームを退室する使用者を第１検知装置が検知できなかった場合でも、その後に使用者がトイレルームに入室した際には、便蓋等を確実に起立状態に回動させることができる。
【００１９】
この特定時間は、使用者が洋風便器本体の使用を終えた後にトイレルーム内で手洗いをしたり、身だしなみを整えたりする時間を考慮して、確実に使用者がトイレルームを退室することのできる時間に設定され得る。
【発明を実施するための最良の形態】
【００２０】
以下、第１発明を具体化した実施例１及び第２発明を具体化した実施例２を図面を参照しつつ説明する。
【実施例１】
【００２１】
図１及び図２に示すように、実施例１の便座装置は、洋風便器本体１の上面後方に固定されたケース３０に軸支され、起立状態と倒伏状態との間を回動可能な便蓋１０及び便座２０を備えている。ケース３０内には、便蓋１０及び／又は便座２０を回動させる駆動装置３１が内蔵されている。駆動装置３１は、モーター３１Ｍと、モーター３１Ｍからケース３０外に延びる回動軸３１Ｆ、３１Ｓとを有している。回動軸３１Ｆは便蓋１０の軸支部に連結され、回動軸３１Ｓは便座２０の軸支部に連結されており、夫々が独立して回動可能である。ケース３０内には、図示しないが、衛生洗浄装置等の機能装置が内蔵されている。
【００２２】
洋風便器本体１が据え付けられたトイレルームＲには、出入口Ｅの上方の内壁面に第１検知装置１００が取り付けられている。第１検知装置１００は、焦電型赤外線センサであり、検知エリアを制限する遮光筒１０１を有している。このため、第１検知装置１００は、出入口Ｅの近傍のみの赤外線の変化を検知することができ、出入口Ｅの近傍の使用者Ｈ１を検知することができる。第１検知装置１００は乾電池を電源とし、図示しないが、第１検知装置１００は乾電池を内蔵している。焦電型赤外線センサは消費電力が少ないため、乾電池を電源としても長時間の使用が可能である。また、第１検知装置１００は、電源のための配線が不要となるため、トイレルームＲの出入口Ｅ付近の任意の箇所に取り付けられる。第１検知装置１００は、出入口Ｅの近傍の使用者Ｈ１を検知すると信号を出力する発信装置１０２が組み付けられている。
【００２３】
洋風便器本体１の上面後方に固定されたケース３０の前面部には、第２検知装置２００が組み付けられている。第２検知装置２００は、反射型赤外線センサである。このため、第２検知装置２００は、ケース３０の前面から前方に投射した赤外線の反射光を検知し、洋風便器本体１の近傍の使用者Ｈ２を検知することができる。
【００２４】
また、ケース３０には、第１検知装置１００の発信装置１０２から出力された信号を受信する受信装置３３が組み付けられている。また、ケース３０には、第２検知装置２００及び受信装置３３に接続され、第１検知装置１００及び第２検知装置２００の出力に基づいて駆動装置３１を制御する制御装置３２が内蔵されている。
【００２５】
トイレルームＲの内壁面には、使用者が便座２０に着座した状態で操作しやすい位置にリモコン３００が取り付けられている。リモコン３００は、ケース３０内に内蔵された衛生洗浄装置等の機能装置を操作するための操作スイッチと共に、便蓋１０及び／又は便座２０を起立状態及び倒伏状態に回動させるための操作スイッチ３０１を備えている。リモコン３００は、図示しないが、出力信号を発信する発信部を有しており、操作スイッチ３０１等の各操作スイッチの操作に応じた出力信号をケース３０に組み付けられた受信装置３３に向けて発信する。このため、リモコン３００の出力信号は、受信装置３３を介して制御装置３２に伝達される。
【００２６】
操作スイッチ３０１が押されると、次に示すように、制御装置３２により便蓋１０又は便座２０が回動する。便蓋１０及び便座２０が共に倒伏状態である場合、操作スイッチ３０１が押されると、便蓋１０のみが起立状態に回動する。便蓋１０が直前に起立状態に回動し、便座２０が倒伏状態である場合、操作スイッチ３０１が押されると、便座２０が起立状態に回動し、便蓋１０及び便座２０は共に起立状態になる。便蓋１０及び便座２０が共に起立状態である場合、操作スイッチ３０１が押されると、便座２０のみが倒伏状態に回動する。便座２０が直前に倒伏状態に回動し、便蓋１０が起立状態である場合、操作スイッチ３０１が押されると、便蓋１０が倒伏状態に回動し、便蓋１０及び便座２０は共に倒伏状態になる。
【００２７】
以上の構成をした実施例１において、制御装置３２の処理手順を図３及び図４に示すフローチャートにより説明する。
【００２８】
便座装置に電源が投入されると、図３に示すメインプログラムが起動する。メインプログラムでは、先ず、ステップＳ１によりタイマーがリセットされる。ステップＳ２では、便蓋１０が倒伏状態に位置しているか否かをチェックする。便蓋１０が倒伏状態に位置しているか否かは、制御装置３２が駆動装置３１に対する制御信号を記憶しており、その記憶に基づいて判断される。便蓋１０が倒伏状態と判断された場合（Ｙｅｓ）、ステップＳ３に進む。便蓋１０が倒伏状態でないと判断された場合（Ｎｏ）、ステップＳ５に進む。
【００２９】
ステップＳ３では、第２検知装置２００の出力が非検知状態から検知状態に変化したか否かをチェックする。第２検知装置２００の出力が非検知状態から検知状態に変化した場合（Ｙｅｓ）、洋風便器本体１の近傍に使用者Ｈ２が接近した判断して、ステップＳ４に進み、便蓋１０を起立状態に回動させる。第２検知装置２００の出力が非検知状態から検知状態に変化しない場合（Ｎｏ）、ステップＳ１に戻る。ステップＳ４が実行された後は、ステップＳ１に戻る。
【００３０】
ステップＳ５では、第２検知装置２００の出力が検知状態であるか否かをチェックする。第２検知装置２００の出力が検知状態である場合（Ｙｅｓ）、洋風便器本体１の近傍に使用者Ｈ２がいると判断して、ステップＳ１に戻る。第２検知装置２００の出力が検知状態でない場合（Ｎｏ）、洋風便器本体１の近傍に使用者Ｈ２はいないと判断して、ステップＳ６に進む。
【００３１】
ステップＳ６では、タイマーがＸ秒（例えば、６０秒）以上であるか否かをチェックする。タイマーがＸ秒以上である場合（Ｙｅｓ）、使用者は洋風便器本体１の使用を終えて、洋風便器本体１から完全に離れたと判断して、ステップＳ７に進み、便蓋１０を倒伏状態に回動させる。タイマーがＸ秒以上でない場合（Ｎｏ）、使用者が洋風便器本体１の使用途中である可能性があるため、ステップＳ２に戻る。ステップＳ７が実行された後は、ステップＳ１に戻る。
【００３２】
第１検知装置１００が出入口Ｅの近傍の使用者Ｈ１を検知して発信装置１０２から信号を出力し、制御装置３２が受信装置３３を介してこの信号を受信すると、図４に示すプログラムがステップＳ７を除くメインプログラムに割り込んで実行される。
【００３３】
この割り込みプログラムでは、先ず、ステップＳ８により、第１検知装置１００が出入口Ｅの近傍の使用者Ｈ１を検知して出力した信号を制御装置３２が受信した時が、第２検知装置２００が洋風便器本体１の近傍の使用者Ｈ２を検知していた状態から非検知の状態に変化した時からＹ秒（例えば、１８０秒）以内であるか否かをチェックする。このＹ秒は、使用者が洋風便器本体１の使用を終えた後にトイレルームＲ内で手洗いをしたり、身だしなみを整えたりする時間を考慮して、確実に使用者がトイレルームＲを退室することのできる時間に設定される。Ｙ秒以内である場合（Ｙｅｓ）、ステップＳ９に進む。Ｙ秒以内でない場合（Ｎｏ）、第１検知装置１００がトイレルームＲを退室する使用者を何らかの原因で検知することができず、その後にトイレルームＲに入室した使用者を第１検知装置１００が検知したものと判断してステップＳ１０に進む。
【００３４】
ステップＳ９では、第１検知装置１００による出入口Ｅの近傍の使用者Ｈ１の検知が、第２検知装置２００が洋風便器本体１の近傍の使用者Ｈ２を検知していた状態から非検知の状態に変化した後、初めての検知か否かをチェックする。初めての検知である場合（Ｙｅｓ）、洋風便器本体１の使用を終え、トイレルームＲを退室する使用者を第１検知装置１００が検知したと判断してメインプログラムに復帰する。初めての検知でない場合（Ｎｏ）、トイレルームＲに入室した使用者を第１検知装置１００が検知したものと判断してステップＳ１０に進む。
【００３５】
ステップＳ１０では、便蓋１０が倒伏状態か否かをチェックする。便蓋１０が倒伏状態である場合（Ｙｅｓ）、ステップＳ１１に進み、便蓋１０を起立状態に回動させた後、メインプログラムに復帰する。なお、この際、便蓋１０のみでなく便座２０も起立状態に回動させても良い。便蓋１０が倒伏状態でない場合（Ｎｏ）、メインプログラムに復帰する。
【００３６】
このように、制御装置３２は、第１検知装置１００及び第２検知装置２００により、使用者のトイレルームＲの入退室を適確に判断し、使用者がトイレルームＲに入室した際には、便蓋１０を確実に起立状態に回動させることができる。また、第１検知装置１００がトイレルームＲを退室する使用者を検知できなかった場合でも、その後に使用者がトイレルームＲに入室した際には、便蓋１０を確実に起立状態に回動させることができる。
【００３７】
したがって、実施例１の便座装置は、使い勝手がより良くなる。
【実施例２】
【００３８】
実施例２の便座装置は、実施例１と同様、図１及び図２に示す構成を有している。また、制御装置３２は、図３のフローチャートに示される実施例１と同様の処理を行なうメインプログラムと、図４のフローチャートに示される実施例１の割り込みプログラムの替わりに図５のフローチャートに示される割り込みプログラムとを有している。以下、実施例１と異なる割り込みプログラムを図５に示すフローチャートにより説明する。
【００３９】
この割り込みプログラムでは、先ず、ステップＳ１２により、第１検知装置１００が出入口Ｅの近傍の使用者Ｈ１を検知して出力した信号を制御装置３２が受信した時が、リモコン３００の操作スイッチ３０１が操作され、便蓋１０が倒伏状態に回動した時からＹ秒（例えば、１８０秒）以内であるか否かをチェックする。このＹ秒は実施例１と同様の時間に設定される。Ｙ秒以内である場合（Ｙｅｓ）、ステップＳ１３に進む。Ｙ秒以内でない場合（Ｎｏ）、第１検知装置１００がトイレルームＲを退室する使用者を何らかの原因で検知することができず、その後にトイレルームＲに入室した使用者を第１検知装置１００が検知したものと判断してステップＳ１４に進む。
【００４０】
ステップＳ１３では、第１検知装置１００による出入口Ｅの近傍の使用者Ｈ１の検知が、リモコン３００の操作スイッチ３０１が操作され、便蓋１０が倒伏状態に回動した後、初めての検知か否かをチェックする。初めての検知である場合（Ｙｅｓ）、洋風便器本体１の使用を終え、トイレルームＲを退室する使用者を第１検知装置１００が検知したと判断してメインプログラムに復帰する。初めての検知でない場合（Ｎｏ）、トイレルームＲに入室した使用者を第１検知装置１００が検知したものと判断してステップＳ１４に進む。
【００４１】
ステップＳ１４では、便蓋１０が倒伏状態か否かをチェックする。便蓋１０が倒伏状態である場合（Ｙｅｓ）、ステップＳ１５に進み、便蓋１０を起立状態に回動させた後、メインプログラムに復帰する。なお、この際、便蓋１０のみでなく便座２０も起立状態に回動させても良い。便蓋１０が倒伏状態でない場合（Ｎｏ）、メインプログラムに復帰する。
【００４２】
このように、制御装置３２は、リモコン３００の操作スイッチ３０１の操作及び第１検知装置１００の検知により、使用者のトイレルームＲの入退室を適確に判断し、使用者がトイレルームＲに入室した際には便蓋１０を確実に起立状態に回動させることができる。また、第１検知装置１００がトイレルームＲを退室する使用者を検知できなかった場合でも、その後に使用者がトイレルームＲに入室した際には、便蓋１０を確実に起立状態に回動させることができる。
【００４３】
したがって、実施例２の便座装置も、使い勝手がより良くなる。
【００４４】
以上において、本発明を実施例１、２に即して説明したが、本発明は上記実施例に制限されるものではなく、その趣旨を逸脱しない範囲で適宜変更して適用できることはいうまでもない。
【００４５】
例えば、制御装置３２において、便蓋１０及び便座２０の状態をチェックし、便蓋１０及び便座２０を起立状態又は倒伏状態に回動させるよう駆動装置３１を制御することが可能である。
【００４６】
また、第１検知装置１００の電源を乾電池と太陽電池とを併用して利用することが可能である。この場合、乾電池の寿命が長くなるため、乾電池の交換の手間を少なくすることができる。
【産業上の利用可能性】
【００４７】
本発明は洋風便器に利用可能である。
【図面の簡単な説明】
【００４８】
【図１】実施例１、２の便座装置が備えられたトイレルームを示す概略図である。
【図２】実施例１、２の便座装置の概略構成図である。
【図３】実施例１、２の便座装置に係り、メインプログラムのフローチャートである。
【図４】実施例１の便座装置に係り、割り込みプログラムのフローチャートである。
【図５】実施例２の便座装置に係り、割り込みプログラムのフローチャートである。
【符号の説明】
【００４９】
１…洋風便器本体
１０…便蓋
２０…便座
３１…駆動装置
３２…制御装置
１００…第１検知装置
２００…第２検知装置
３００…リモコン
３０１…操作スイッチ
Ｒ…トイレルーム
Ｅ…出入口
Ｈ１、Ｈ２…使用者
【図１】
0005008500.tif 000002
【図２】
0005008500.tif 000003
【図３】
0005008500.tif 000004
【図４】
0005008500.tif 000005
【図５】
0005008500.tif 000006